(57)【要約】【課題】経机状の箱体及び摺動板の出し入れに際しての仏具の転倒等を回避しながら、より多くの仏具の配置スペースを確保でき、しかもその配置バランスを向上させる。【解決手段】経机状の箱体４を引出し状に出し入れ自在に収納する基台部２の支持板５と、箱体４の天板４Ｂとの間に、摺動板６を具える。支持板５の両側に、前記摺動板６の両側に載置される長身の仏具Ｗ２との衝合を避ける切欠き部５ａを形成することにより、該切欠き部５ａ、５ａ間に仏具を載置しうる中央突部５ｂを突出させた。【選択図】　図１
2004033672.tif 000002
【特許請求の範囲】
【請求項１】
基台部と、その上の厨子部とを別体、又は一体に有し、かつ前記基台部に、経机状の箱体を引出し状に出し入れ自在に収納する収納室を設けるとともに、
別体としたときの前記基台部の上板部、又は一体としたときの前記基台部と厨子部とを区切る仕切部をなす支持板と、前記箱体の天板との間に、前記箱体の出し入れの箱体ストロークよりも小さい受板ストロークで出し入れしうる摺動板を設けた仏壇であって、
前記摺動板は、前記支持板との間に、該摺動板に載置される小高さの仏具が入る高さｈ１を隔てるとともに、
前記支持板の両側に、前記摺動板の両側に載置される前記高さｈ１よりも高い長身の仏具との衝合を避ける切欠き部を形成することにより、該切欠き部間に、前に突出し仏具を載置しうる中央突部を形成したことを特徴とする仏壇。
【請求項２】
前記基台部は、箱体を出入れする箱体駆動手段を具えるとともに、該箱体駆動手段は、前記摺動板を、箱体に遅れて引出すことを特徴とする請求項１記載の仏壇。
【請求項３】
前記箱体は、引出の有する収納部の側部に空所を設け、かつその底板上に、リンを載置でき、かつ垂直軸回りで回動自在に枢支されたリン載置板を設けるとともに、前記基台部に、該箱体が前記収納室に収納された収納状態においてリン載置板を該箱体に収納し、かつ箱体の前への移動に連動して回動させることにより前に取り出す回動手段を具えたことを特徴とする請求項１又は２記載の仏壇。
【請求項４】
前記箱体は、前記リンを打衝する打棒を保持しかつ前後動可能な打棒保持具を具えるとともに、前記基台部に、該打棒保持具を箱体の前への移動に連動して前に出す打棒駆動機構を具えたことを特徴とする請求項１〜３のいずれかに記載の仏壇。
【発明の詳細な説明】
【０００１】
【発明の属する技術分野】
本発明は、経机状をなす箱体を出し入れ自在に収納しうる基台部を有する仏壇に関する。
【０００２】
【従来の技術及び発明が解決しようとする課題】
一般に、経机と仏壇とは別々に形成されているため、夫々の配置場所が必要となり室内が狭くなるという問題点がある。そこで、本出願人は、室内のスペースを有効活用するために、図１４に略示する如く、経机状をなす箱体ａを出し入れ自在に収納する基台部ｂを有する仏壇ｃを特開平１１−３１８６９０号公報において提案している。
【０００３】
このものは、前記基台部ｂの上板部ｂ１と前記箱体ａの天板ａ１との間に、例えば箱体ａと連係して前後移動可能な摺動板ｅを具えるとともに、前記上板部ｂ１の前縁には、箱体ａの収納に際して、摺動板ｅの両側に載置する蝋燭立て等の長身の仏具との衝合を避けるコ字状の切り欠き部ｄを形成している。これによって、前記仏具等の配置スペースを確保するとともに、収納、引き出し等に際しての仏具の転倒等を防止している。
【０００４】
しかし、前記切り欠き部ｄが大となるため、配置スペースの確保を不十分とするとともに、仏具の配置バランスを損ねる傾向にあった。
【０００５】
そこで本発明は、上板部ｂ１に相当する支持板の両側に、前記摺動板ｅの両側に載置される長身の仏具との衝合を避ける切欠き部を形成することにより、該切欠き部間に、前に突出して他の仏具を載置しうる中央突部を形成することを基本として、より多くの配置スペースを確保し、かつ仏具の配置バランスを向上しうる仏壇の提供を目的としている。
【０００６】
【課題を解決するための手段】
前記目的を達成するために、本願請求項１の発明は、基台部と、その上の厨子部とを別体、又は一体に有し、かつ前記基台部に、経机状の箱体を引出し状に出し入れ自在に収納する収納室を設けるとともに、
別体としたときの前記基台部の上板部、又は一体としたときの前記基台部と厨子部とを区切る仕切部をなす支持板と、前記箱体の天板との間に、前記箱体の出し入れの箱体ストロークよりも小さい受板ストロークで出し入れしうる摺動板を設けた仏壇であって、
前記摺動板は、前記支持板との間に、該摺動板に載置される小高さの仏具が入る高さを隔てるとともに、　前記支持板の両側に、前記摺動板の両側に載置される前記高さｈ１よりも高い長身の仏具との衝合を避ける切欠き部を形成することにより、該切欠き部間に、前に突出し仏具を載置しうる中央突部を形成したことを特徴としている。
【０００７】
又請求項２の発明では、前記基台部は、箱体を出入れする箱体駆動手段を具えるとともに、該箱体駆動手段は、前記摺動板を、箱体に遅れて引出すことを特徴としている。
【０００８】
又請求項３の発明では、前記箱体は、引出の有する収納部の側部に空所を設け、かつその底板上に、リンを載置でき、かつ垂直軸回りで回動自在に枢支されたリン載置板を設けるとともに、前記基台部に、該箱体が前記収納室に収納された収納状態においてリン載置板を該箱体に収納し、かつ前記箱体の前への移動に連動して回動させることにより前に取り出す回動手段を具えたことを特徴としている。
【０００９】
又請求項４の発明では、前記箱体は、前記リンを打衝する打棒を保持しかつ前後動可能な打棒保持具を具えるとともに、前記基台部に、該打棒保持具を箱体の前への移動に連動して前に出す打棒駆動機構を具えたことを特徴としている。
【００１０】
【発明の実施の形態】
以下本発明の一実施形態を図面に基づき説明する。
図１において、仏壇１は、本例では所謂厨子型仏壇であって、基台部２と、その上に形成される厨子部３とを別体に具えるとともに、前記基台部２には、経机状の箱体４を引出し状に出し入れ自在に収納する収納室Ｈを設けている。
【００１１】
前記基台部２は、底板２Ａと、その両側縁近傍で立上がりかつ前後にのびる一対の側板２Ｂと、各側板２Ｂの後縁間を継ぐ背板２Ｃと、前記側板２Ｂ及び背板２Ｃの各上端間に水平に架け渡される上板部２Ｄである支持板５とを有する略矩形の箱状で形成されている。
【００１２】
また前記基台部２には、前記支持板５と前記箱体４の天板４Ｂとの間に、前記箱体４の出し入れの箱体ストロークＳ１（図７（Ａ）に示す）よりも小さい受板ストロークＳ２（図７（Ａ）に示す）で出し入れしうる摺動板６を設けている。
【００１３】
この摺動板６は、前記側板２Ｂ、２Ｂ間を跨る横長の板体であって、該側板２Ｂ、２Ｂ間で、レール等の適宜の案内手段（図示せず）を介して前後に移動自在に支持される。このとき摺動板６は、前記支持板５との間に、該摺動板６に載置される小高さの仏具Ｗ１が入る高さｈ１を隔てて配される。なお前記「小高さの仏具Ｗ１」とは、蝋燭を立てた蝋燭立て、花を生けた花瓶に比しては高さが小な仏具、例えば線香箱、香炉等であり、従って前記高さｈ１は、通常５〜２０ｃｍ程度、好ましくは５〜１０ｃｍに設定される。また前記案内手段としては、外レールと内レールとの間にリテーナで保持された複数のスチールボールを挿入した所謂ボール入りスライドレールが好適に採用しうる。
【００１４】
ここで、前記摺動板６の引き出し時（図１）には、その上面に多くの仏具Ｗを載置可能とし、特に前記摺動板６の両側に、前記高さｈ１を越える長身の仏具Ｗ２、例えば蝋燭を立てた蝋燭立てなどを載置することができる。
【００１５】
そして、本実施形態では、前記摺動板６を基台部２内に収納する際、前記長身の仏具Ｗ２が前記支持板５と衝合して転倒するのを避けるため、前記支持板５の両側に、衝合回避用の切欠き部５ａ、５ａを設けている。このとき、該切欠き部５ａ、５ａ間には、前方に突出することにより例えば過去帳などの仏具Ｗ３を載置しうる中央突部５ｂが形成される。なお本例では、前記切欠き部５ａのさらに外側に、例えば花瓶などが載置可能な側の載置部５ｃを設けた場合を例示している。
【００１６】
このように本発明では、前記支持板５に中央突部５ｂを形成しているため、収納の際の仏具Ｗとの衝合を避けながら、仏具Ｗの配置スペースをより広く確保でき、しかも各仏具Ｗを多段に分けてバランス良く配置することが可能となる。
【００１７】
次に、経机状の箱体４は、前記基台部２に設けるガイドレールＧＲによって前後に出し入れ自在に案内されるとともに、前記摺動板６は、本例では、箱体４に連係させて出し引きされる。特に本例では、前記基台部２が、箱体４を出入れするとともに前記摺動板６を箱体４に遅れて引出す箱体駆動手段７を具える場合を例示する。
【００１８】
なお前記ガイドレールＧＲとして所謂ボール入りスライドレールが好適に使用でき、本例では、図４に示すように、ガイドレールＧＲは、基台部２の前記底板２Ａに敷設されるとともに、前記箱体４を、その前記箱体４の下板４Ａと前記底板２Ａとの間に空所Ｋを隔てて保持している。
【００１９】
又前記箱体駆動手段７は、箱体４を前後に駆動する駆動手段主部７Ａと、摺動板６を箱体４に連動させる駆動手段副部７Ｂとから形成される。
【００２０】
前記駆動手段主部７Ａは、図４の如く、本例では、基台部２の前記底板２Ａに配されかつ前後にのびる一対のレール９、９と、前記底板２Ａに配されかつ前記レール９と平行にのびるラック１０と、前記レール９に係合して上下及び左右方向に拘束されつつ前後に移動しうるスライダ１２を下面に設けた走行機枠１３と、この走行機枠１３に固着されかつ回転軸に前記ラック１０に噛み合うピニオン１４を装着した電動機Ｍとから構成される。本例では、前記ラック１０は、側面に歯部を設けた横向き状をなし、これによって底板２Ａに変形なく強固に取り付き、ピニオン１４との噛み合い不良などを防止できる。なお図４は、駆動手段主部７Ａを後方から見た斜視図であり、便宜上、基台部２の側板２Ｂ、背板２Ｃなどは省いて描いている。
【００２１】
本例では、この駆動手段主部７Ａが、結合手段８を介して前記箱体４に着脱可能に連結されるものを例示していが、前記結合手段８を介することなく箱体４に固定することもでき、係る場合には、前記駆動手段主部７Ａにおいて、前記レール９、及びスライダ１２を排除することができる。
【００２２】
また前記基台部２の底板２Ａには、図３の如く、箱体４がこの基台部２に収納された収納状態Ｚ１と、箱体４が最も引き出された最大引き出し状態Ｚ２とをそれぞれ検知しうるリミットスイッチＳｒ、Ｓｆが前後に設けられるとともに、前記走行機枠１３には、該リミットスイッチＳｆ、Ｓｒに当接してこれらを作動させるアクチェータを設けている。そして、これらの各リミットスイッチＳｒ、Ｓｆの検出信号は、図示しない制御器へと入力されて前記電動機Ｍの所定の制御が行われる。
【００２３】
また本例の仏壇１には、前記箱体４を移動させる操作スイッチＳＴ（図１）が設けられており、例えば前への移動指示操作により、前記電動機Ｍが所定の向きに回転し前記ラック１０に沿って走行機枠１３が前進することにより、結合手段８を介して箱体４を前方へと押し出ししうる。また、走行機枠１３の前進により前記リミットスイッチＳｆに当接すると、制御器が電動機Ｍを停止させ、箱体４を最大引き出し状態Ｚ２に位置させることができる。
【００２４】
同様に、後への移動指示操作により、前記電動機Ｍが前記とは逆向きに回転し前記ラック１０に沿って走行機枠１３を後退させることにより、結合手段８を介して箱体４を後方へと引き込みしうる。また走行機枠１３の後退によりリミットスイッチＳｒに当接すると、制御器が電動機Ｍを停止させ箱体４を収納状態Ｚ１へと位置させることができる。なお箱体４と当接する事により該箱体４の移動を機械的に規制するストッパなどを併設することも望ましい。このように本実施形態の仏壇１では、前記箱体４を自動で前後に出し引きしうる結果、仏事の際などの労力を軽減して省力化を図ることができ、仏壇１の使い勝手を大幅に向上しうる。
【００２５】
本例の前記走行機枠１３は、例えば鉄等の磁性体から形成されており、また結合手段８は、この走行機枠１３を吸着しうる永久磁石１７から構成されたものが例示される。該永久磁石１７は、例えばホルダを介して前記箱体４の背面に固着されており、前記走行機枠１３を吸着しうる。
【００２６】
このように、結合手段８を磁性体を脱着可能に吸着しうる永久磁石１７から構成したときには、例えば電動機Ｍが前記収納位置において故障等によりロックしたような場合、手動により箱体４を前へと強く引っ張るという簡単な動作で該結合手段８を切り離すことができ、走行機枠１３をその場に残したまま箱体４だけを引き出しでき、電動機Ｍの故障時にも箱体４の前後移動を確保しうる点で特に好ましい。
【００２７】
又前記駆動手段副部７Ｂは、図５、６に示すように、箱体４と摺動板６との一方（本例では箱体４）に設けられ他方（本例では摺動板６）に向かって突出する当片４０と、他方（本例では摺動板６）に設けられるとともに前記当片４０に当接する前後の係止部４１Ａ、４１Ｂを有する係止具４１とから構成される。
【００２８】
この係止具４１は、本例では、前後にのびかつ前記当片４０が通る溝４２を有し、その前後端で前記係止部４１Ａ、４１Ｂを形成している。前記溝４２は、摺動板６の下面に直接に凹設することができるが、本例の如く、前記溝４２を透設した補助板を前記摺動板６下面に固定することにより簡易に形成できる。
【００２９】
ここで、前記駆動手段副部７Ｂは、図６（Ａ）、（Ｂ）に示すように、当片４０が前の係止部４１Ａに当接する前当接位置Ｙ１と、後の係止部４１Ｂに当接する後当接位置Ｙ２との間においては、箱体４を摺動板６とは独立して移動させうる。又前当接位置Ｙ１から前方に向かって、及び後当接位置Ｙ２から後方に向かっては、それぞれ箱体４と一体に前記摺動板６を押し進させる。
【００３０】
即ち、図６（Ａ）に示す収納状態Ｚ１から、箱体４が引出され、当片４０が前当接位置Ｙ１となる（図６（Ｂ））までの間では、箱体４のみが、摺動板６に先行して前方移動する。その後、図７（Ａ）に示す完全引出し状態Ｚ２までは、箱体４は、先行状態を保ちながら摺動板６と一体に移動する。また前記完全引出し状態Ｚ２からの収納では、いったん当片４０が後当接位置Ｙ２となって箱体４前縁と摺動板６前縁とが略一致する重なり状態（図７（Ｂ））まで、箱体４のみが摺動板６に先駆けて後方移動し、しかる後、前記収納状態Ｚ１（図６（Ａ））まで、箱体４と摺動板６とが重なり状態のまま一体移動する。
【００３１】
又前記駆動手段副部７Ｂでは、前記図５に示すように、当片４０と前の係止部４１Ａとを結合手段１１を介して着脱可能に連結するのが好ましい。この結合手段１１は、完全引出し状態Ｚ２において箱体４が停止する際、摺動板６が慣性によってさらに前方に移動するのを防止するものであって、本例では、永久磁石を用いて構成される。詳しくは、前記前の係止部４１Ａに、永久磁石からなる磁石片１１Ａを配するとともに、前記当片４０を鉄等の磁性体で形成している。
【００３２】
なお磁力の強さによっては、前記完全引出し状態Ｚ２からの収納において、箱体４が先行状態を保ちながら摺動板６と一体移動し、摺動板６が収納された後（図６（Ｂ））、結合手段１１が外れ、収納状態Ｚ１（図６（Ａ））まで箱体４のみが移動する如く動作させることもできる。
【００３３】
次に、前記箱体４は、図２に示す如く、下板４Ａと天板４Ｂとの間を縦板４Ｃ、及び背板４Ｄで継いだ経机状をなし、本例では、前記縦板４Ｃが、前記箱体４の一方の側部に配された側の縦板４Ｃ１と、中央寄りに配された中の縦板４Ｃ２とで構成され、箱体４の他方の側部には縦板がなく開放されたものが例示される。
【００３４】
なお前記天板４Ｂは、前記摺動板６との間に、経本及び数珠などの小仏具が入る、例えば３ｃｍ程度の高さｈ２を隔てて配されるとともに、最大引き出し状態Ｚ２においては、天板４Ｂの先行部分に、さらに多くの仏具を適宜並べることができる。
【００３５】
また本例では、前記箱体４には、前記縦板４Ｃ１、４Ｃ２との間に引出しを有する収納部１９と、その側部に空所Ｔとが形成される。この空所Ｔには、前記下板４Ａ上に、リンＲ１を載置でき、かつ垂直軸回りで回動自在に枢支されるリン載置板１５が配されるとともに、前記基台部２には、該箱体４の収納状態Ｚ１においてリン載置板１５を該箱体４に収納し、かつ箱体４の前への移動に連動して回動させることにより前に取り出す回動手段１６を設けている。
【００３６】
ここで、前記リン載置板１５は、本例では、略正方形状の板材からなり、前記収納状態Ｚ１（図２、３）においては、前記基台部２の側板２Ｂ内面よりも内方に控えて、かつ前記下板４Ａの前縁よりも後方に控えて収納される。さらに、前記収納状態Ｚ１においては、リン載置板１５の枢支位置ＰＮ（図３に示す）は、リン載置板１５の巾方向の中間位置よりも箱体４の外側に寄せた位置に設定される。
【００３７】
又前記回動手段１６は、本例では、図３に示す如く、第１のリンクＬａ１と、第２のリンクＬａ２と、第３のリンクＬａ３とからなるリンク機構Ｌａによって構成される。
【００３８】
詳しくは、前記第１のリンクＬａ１は、例えばその略中間を前記箱体４の下板４Ａの第１点Ｐ１で回動自在に枢支され水平面内で揺動することができる。また前記第２のリンクＬａ２は、一端が前記リン載置板１５の枢支位置ＰＮから隔たる第２点Ｐ２（本例ではリン載置板１５の略中心）で該リン載置板１５に回動自在に枢着され、かつ他端が前記第１のリンクＬａ１の一端（前方側の端部）の第３点Ｐ３に回動自在に枢着される。また前記第３のリンクＬａ３は、一端が前記第１のリンクＬａ１の他端（後方側の端部）である第４点Ｐ４に回動自在に枢着され、かつ他端が前記基台部２の底板２Ａの後端側に、高さを合わせるための取付部２１を介して第５点Ｐ５で回動自在に枢支される。なお前記箱体４の背板４Ｄには、前記第２のリンクＬａ２が通る切欠き孔１８（図４）を設けている。
【００３９】
そして、図８には、前記収納状態Ｚ１から最大引き出し状態Ｚ２までの間のこれらのリンクの変化を概念的に示している。リン載置板１５の枢支位置ＰＮと前記第１点Ｐ１とを結ぶ線分（ＰＮ−Ｐ１）、リン載置板１５の前記枢支位置ＰＮと第２点Ｐ２とを結ぶ線分（ＰＮ−Ｐ２）、第２のリンクＬａ２をなす線分（Ｐ２−Ｐ３）、及び第１のリンクＬａ１の第１点Ｐ１と第３点Ｐ３との間の線分（Ｐ１−Ｐ３）は、４節回転連鎖機構を構成している。また本例の４節回転連鎖機構では、前記線分（ＰＮ−Ｐ１）が下板４Ａに固定されることになる。この線分（ＰＮ−Ｐ１）は、最小の線分（ＰＮ−Ｐ２）と隣接するため、前記線分（Ｐ１−Ｐ３）の揺動に基づき前記線分（ＰＮ−Ｐ２）を回転させる「てこクランク機構」を構成する。この線分（ＰＮ−Ｐ２）の回転は、リン載置板１５の回転に等しい。
【００４０】
従って、前記箱体４が基台部２に対して前後に移動する際、第３のリンクＬａ３によって第１のリンクＬａ１が水平面内で揺動する。この第１のリンクＬａ１の揺動は、前述の４節回転連鎖機構の線分（Ｐ１−Ｐ３）の揺動となり、ひいてはリン載置板１５を回動させうる。また、リン載置板１５は下板４Ａに対して枢支位置ＰＮの回りに回動するが、この回動は前記箱体４の前後移動に連動して行われているため、該リン載置板１５を、前記基台部２の側板２Ｂ前縁に衝合させることなく、かつ箱体４の前方に取り出すことが可能となる。従って、箱体４の天板４Ｂなどに邪魔されることなく前記リンＲ１の打鳴らしを容易に行うことができる。
【００４１】
なお本例では、前記リンク機構Ｌａとしては、前記図３の如く、前記第５点Ｐ５を前記箱体４の巾方向中央側に位置せしめ、これによって前記第２のリンクＬａ２を、前記第３点Ｐ３から第２点Ｐ２に至り、前方に向かって巾方向中央側から外側に傾く向きに傾斜させたものを例示している。
【００４２】
しかし、これとは逆向きに、即ち図１１に例示する如く、前記第５点Ｐ５を前記箱体４の巾方向外側（好ましくは外側縁近傍）に位置せしめ、これによって前記第２のリンクＬａ２を、前記第３点Ｐ３から第２点Ｐ２に至り、前方に向かって巾方向外側から中央側に傾く向きに傾斜させることもできる。このときには、第２のリンクＬａ２により第２点Ｐ２に作用する力Ｆのうち、線分（ＰＮ−Ｐ２）に沿う分力Ｆｘが、枢支位置ＰＮから離れる向きに作用するため、拗れることがなく、リン載置板１５を枢支位置ＰＮ廻りで円滑に回転させることが可能となるなど、より好ましく採用しうる。なお前記図１１の如く、前記箱体４には、空所Ｔ側に、側の縦板４Ｃ３を前記枢支位置ＰＮよりも後方側に設けることもできる。
【００４３】
また本例では、前記リンＲ１を打衝する打棒Ｒ２を同時に前に取り出し、使い勝ってをさらに高めるために、前記箱体４に、打棒保持具３０を前後動可能に設けるとともに、前記基台部２に、該打棒保持具３０を箱体４の前への移動に連動して前に出す打棒駆動機構３１を設けている。
【００４４】
前記打棒保持具３０は、図２の如く、打棒Ｒ２を水平に保持するフック部３０Ａを有し、本例では、例えばボール入りスライドレール等のレール状の案内手段３２を介して、前記中の縦板４Ｃ２に前後動自在に取り付けられる。
【００４５】
又打棒駆動機構３１は、本例では、前記回動手段１６と同様、第１〜第３のリンクＬｂ１〜Ｌｂ３からなるリンク機構Ｌｂによって構成される。
【００４６】
詳しくは、図９に示すように、前記第１のリンクＬｂ１は、その略中間を前記箱体４の第１点Ｑ１で回動自在に枢支され、垂直面内で揺動することができる。なお第１点Ｑ１は、本例では、前記箱体４の縦板４Ｃ２に延設され後方にのびる延設片３３に設けられる。また前記第２のリンクＬｂ２は、一端が前記打棒保持具３０の第２点Ｑ２で回動自在に枢着され、かつ他端が前記第１のリンクＬｂ１の一端（前方側の端部）の第３点Ｑ３に回動自在に枢着される。また前記第３のリンクＬｂ３は、一端が前記第１のリンクＬｂ１の他端（後方側の端部）である第４点Ｑ４に回動自在に枢着され、かつ他端が前記基台部２の支持板５の後端側に、位置合わせのための取付部３４を介して第５点Ｑ５で回動自在に枢支される。
【００４７】
ここで、前記第１点Ｑ１と第２点Ｑ２を結ぶ線分（Ｑ１−Ｑ１）、第２のリンクＬｂ２をなす線分（Ｑ２−Ｑ３）、及び第１のリンクＬｂ１の第１点Ｑ１と第３点Ｑ３との間の線分（Ｑ１−Ｑ３）は、往復スライダ機構を構成している。
【００４８】
従って、前記箱体４が、基台部２に対して前後に移動する際、図１０（Ａ）、（Ｂ）に示すように第３のリンクＬｂ３によって第１のリンクＬｂ１が垂直面内で揺動する。この第１のリンクＬｂ１の揺動は、前記第２点Ｑ２の前方へのスライド移動、即ち打棒保持具３０の前方移動となり、少なくとも打棒Ｒ２の一部（本例では把持部）を前記箱体４から前方に突出させる。
【００４９】
このように本例の仏壇１は、箱体４の前後の出し入れを自動化しうるとともに、この箱体４の移動に連動してリン載置板１５及び打棒保持具３０を、箱体４から前方に取り出すことができ、使い勝手を向上し得る。又リン載置板１５の箱体４との連動した回動によって仏壇１に荘厳さをも与えうる。またそのための前記回動手段１６及び打棒駆動機構３１を、リンク機構Ｌａ、Ｌｂによって構成したときには、簡単な構成で上述の動作を実現できる。特に本例では、リンク機構Ｌａとリンク機構Ｌｂとを同一とし共通化を図っているため、部材品種を削減でき、生産性及び生産コストの低減を達成している。
【００５０】
図１２には、リン載置板１５の他の実施形態を示している。本例のリン載置板１５は、収納状態Ｚ１において前記箱体４の前方及び側方の一部を覆う覆い板３６がその端縁近傍に立設されたものが例示される。この例では、箱体４の前への移動に連動してこの覆い板３６を開けてリン載置板１５を露出させることができ、箱体４の出し入れの際の荘厳さをさらに高めうる。
【００５１】
さらに図１３には、本発明の他の実施形態を示している。本例の仏壇１は、前記基台部２と、その上の厨子部３とを一体に形成した仏壇本体５０を有する所謂家具調仏壇であって、該仏壇本体５０には、前記基台部２及び厨子部３をともに開閉しうる一対の外扉５１が配される。なお前記基台部２は、その側板２Ｂが前記仏壇本体５０の略全長に亘って延設され、該側板２Ｂ、２Ｂ間に、前記基台部２と厨子部３とを区切る仕切部５２をなす前記支持板５が架け渡される。
【００５２】
そして前記支持板５に、前記切欠き部５ａと、その間で前に突出する中央突部５ｂとを形成している。本例では、支持板５の両コーナ部を略矩形状に切り欠くことにより前記切欠き部５ａが形成されており、その切り欠き縁の外端Ｅａは、側板２Ｂの前縁と略整一している。
【００５３】
以上、本発明の特に好ましい実施形態について詳述したが、本発明は図示の実施形態に限定されることなく、例えば箱体駆動手段７を、例えば底板２Ａに固定の電動機により周回しうるチェーンやベルト等を用いて構成しても良く、またこのような箱体駆動手段７を省略した手動方式を採用することにより低コストの仏壇を提供することも可能である。このとき、手動方式であっても箱体の押し引きに連動して、前記リン載置板１５及び打棒保持具３０を箱体４から出し入れさせることができる。又前記回動手段１６及び打棒駆動機構３１も、図示のリンク機構以外の種々の態様に変形して実施しうる。
【００５４】
【発明の効果】
以上説明したように本発明の仏壇は、支持板の両側に、摺動板両側に載置される長身の仏具との衝合を避ける切欠き部を形成することにより、該切欠き部間に、前に突出して他の仏具を載置しうる中央突部を形成している。従って、経机状の箱体及び摺動板の出し入れに際しての仏具の転倒等を回避しながら、より多くの仏具の配置スペースを確保でき、しかもその配置バランスを向上させることが可能となる。
【図面の簡単な説明】
【図１】本発明の仏壇の一実施例を、箱体の最大引き出し状態において示す斜視図である。
【図２】その主要部を、箱体の収納状態において示す斜視図である。
【図３】基台部を平面に沿って切断した断面図である。
【図４】箱体駆動手段の一部を背面側から見た部分斜視図である。
【図５】駆動手段副部を示す斜視図である。
【図６】（Ａ）、（Ｂ）は、箱体の収納状態、及び半引き出し状態を概念的に示す断面図である。
【図７】（Ａ）、（Ｂ）は、箱体の最大引き出し状態、及び半収納状態を概念的に示す断面図である。
【図８】回動手段のリンクの動きを略示する線図である。
【図９】打棒駆動機構を箱体の収納状態において示す断面図である。
【図１０】（Ａ）、（Ｂ）は打棒駆動機構の動きを説明する断面図である。
【図１１】回動手段のリンクの他の例を示す断面図である。
【図１２】リン載置板の他の実施形態を示す部分斜視図である。
【図１３】本発明の仏壇の他の実施例を、箱体の収納状態において示す斜視図である。
【図１４】従来技術を説明する斜視図である。
【符号の説明】
１　　　仏壇
２　　　基台部
３　　　厨子部
４　　　箱体
５　　　支持板
５ａ　　切欠き部
５ｂ　　中央突部
６　　　摺動板
７　　　箱体駆動手段
１５　　リン載置板
１６　　回動手段
１９　　収納部
３０　　打棒保持具
３１　　打棒駆動機構
Ｈ　　　収納室
Ｔ　　　空所
Ｒ１　　リン
Ｒ２　　打棒
Ｗ１　　小高さの仏具
Ｗ２　　長身の仏具
【図１】
2004033672.tif 000003
【図２】
2004033672.tif 000004
【図３】
2004033672.tif 000005
【図４】
2004033672.tif 000006
【図５】
2004033672.tif 000007
【図６】
2004033672.tif 000008
【図７】
2004033672.tif 000009
【図８】
2004033672.tif 000010
【図９】
2004033672.tif 000011
【図１０】
2004033672.tif 000012
【図１１】
2004033672.tif 000013
【図１２】
2004033672.tif 000014
【図１３】
2004033672.tif 000015
【図１４】
2004033672.tif 000016